【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
金型；
金型と流体連絡している、ポリマー材料の流れを金型中に送るための射出装置；
射出装置と金型との間に配置されており、射出装置からのポリマー材料の流れを受容するための射出点、及び流路上の射出点の下流に配置されており、金型中に通じる開口に配置されているか又はこれに隣接して配置されているゲートを含む流路；
射出点とゲートとの間の流路と流体連絡しており、流路を通るポリマー材料の初期段階の流れの間に、流れの一部が少なくとも１つのオーバーフロー通路に一時的に分流されて、これによりゲートを通るポリマー材料の流速が一時的に減少し、その後に増加するように構成されている少なくとも１つのオーバーフロー通路；
を含む、ポリマー物品を射出成形するためのシステム。
【請求項２】
オーバーフロー通路が規定の容積を有し、オーバーフロー通路が流路から分岐している、請求項１に記載のシステム。
【請求項３】
オーバーフロー通路の規定の容積がポリマー材料で満たされるまで、ポリマー材料の流れを一時的にオーバーフロー通路中に分流させる、請求項２に記載のシステム。
【請求項４】
オーバーフロー通路が、一定量のポリマー材料が金型に導入されるまでオーバーフロー通路がポリマー材料で満たされないような規定の容積を有する、請求項３に記載のシステム。
【請求項５】
オーバーフロー通路が、オーバーフロー通路からゲートへの流路の容積の約２０％〜約１０００％である規定の容積を有する、請求項２に記載のシステム。
【請求項６】
システムが約２〜約５のオーバーフロー通路を含む、請求項１に記載のシステム。
【請求項７】
オーバーフロー通路のそれぞれが規定の容積を有し、それぞれのオーバーフロー通路が流路から分岐しており、オーバーフロー通路の全部がポリマー材料で満たされるまでポリマー材料の流れの一部をオーバーフロー通路中に一時的に分流させ、オーバーフロー通路が、一定量のポリマー材料が金型に導入されるまで満たされないような規定の容積を有する、請求項６に記載のシステム。
【請求項８】
オーバーフロー通路によって、後期段階の充填流速から減少しており、かかる充填流速の約５％〜約５０％であるゲートを通るポリマー材料の初期段階の流速が生起する、請求項１に記載のシステム。
【請求項９】
金型キャビティー中に通じる流路中に溶融したポリマー材料を供給し；
流路中へのポリマー材料の初期段階の流れの間に、流れの一部をオーバーフロー通路中に一時的に分流させ、ここでオーバーフロー通路は金型キャビティー中に通じるゲートの上流に配置されており；
金型キャビティーにポリマー材料を充填して成形物品を形成し、ここで金型中へのポリマー材料の初期段階の流れは、同時に流れの一部をオーバーフロー通路中に分流させながら行い；そして
金型から成形物品を取り出す；
ことを含むポリマー材料を成形する方法。
【請求項１０】
ポリマー材料がポリオキシメチレンポリマーを含む、請求項９に記載の方法。
【請求項１１】
ポリマー材料が金属顔料を含む、請求項９に記載の方法。
【請求項１２】
流路中へのポリマー材料の初期段階の流れを、金型中への減少した初期段階の流速を生起させるような形で一時的に分流させ、金型キャビティーを初期段階の流速及び後期段階の充填流速で充填し、初期段階の流速は充填速度よりも約５％〜約９０％低い、請求項９に記載の方法。
【請求項１３】
初期段階の流速が充填流速の約５％〜約５０％である、請求項１２に記載の方法。
【請求項１４】
ポリマー流が流塊を有し、流塊を、初期段階において、ポリマー流の一部をオーバーフロー通路中に一時的に分流させるのと同時に金型キャビティーに導入する、請求項９に記載の方法。
【請求項１５】
成形生成物であって：
外表面を有する物品に成形された熱可塑性ポリマー；
を含み、
熱可塑性ポリマーがポリオキシメチレンポリマーを含み、熱可塑性ポリマーが少なくとも１種類の着色剤と混合されており、外表面の少なくとも一部は生成物を使用する際に見えるように意図されている外観表面を含み、物品は、外観表面に隣接して配置されているゲートを通して金型中に熱可塑性ポリマーを射出することによって射出成形されており、外観表面は塗料を含まず且つゲートブラッシュを含まない
前記成形生成物。
【請求項１６】
外観表面が、１００倍の倍率及び４５°の角度で走査電子顕微鏡によって検査して螺旋パターンのメルトフラクチャーを含まない、請求項１５に記載の成形生成物。
【請求項１７】
外観表面が、熱可塑性ポリマーを金型中に射出する位置に配置されているゲート領域を含み、ＢＯＲＧ分光測光技術にしたがって色指数におけるシフトを測定した際に、ゲート領域と外観表面の残りとの間の色指数の差が２０％より多く変化していない、請求項１６に記載の成形生成物。
【請求項１８】
色指数におけるシフトが１０％より多く変化していない、請求項１７に記載の成形生成物。
【請求項１９】
色指数におけるシフトが５％より多く変化していない、請求項１７に記載の成形生成物。
【請求項２０】
着色剤が金属顔料を含む、請求項１５に記載の成形生成物。
【請求項２１】
少なくとも１つのオーバーフロー通路が空間容積を有し、少なくとも１つのオーバーフロー通路の空間容積が、少なくとも１つのオーバーフロー通路とゲートとの間の流路の空間容積の１．１倍〜２倍である、請求項１に記載のシステム。
【請求項２２】
少なくとも１つのオーバーフロー通路上に配置されており、少なくとも１つのオーバーフロー通路中への熱可塑性材料の流れを制御するように構成されているバルブを更に含む、請求項１に記載のシステム。
【手続補正２】
【補正対象書類名】明細書
【補正対象項目名】００９６
【補正方法】変更
【補正の内容】
【００９６】
[0088]本発明に対するこれら及び他の修正及び変更は、本発明の精神及び範囲（これは、より特には特許請求の範囲において示される）から逸脱することなく当業者によって実施することができる。更に、種々の態様の複数の形態は全体的又は部分的に交換することができることを理解すべきである。更に、当業者であれば、上記の記載は例示のみの目的であり、特許請求の範囲において更に表される発明を限定することは意図しないことを認識するであろう。
本発明の具体的態様は以下のとおりである。
［１］  金型キャビティーを形成する少なくとも１つの空洞部を含む金型；
熱可塑性材料を加熱及び圧縮するための圧縮区域；
金型キャビティーの開口におけるゲート内で終了しており、圧縮区域とゲートとの間を流体連絡している少なくとも１つのランナー；
ランナーと流体連絡している空間を形成し、ゲートから所定の距離で配置されており、終端分流通路の空間容積は分流通路とゲートとの間に残るランナー空間容積の少なくとも１．１倍であり、初期段階において金型キャビティーに充填される熱可塑性材料の流れの部分の流速は、熱可塑性材料の流れの他の部分が終端分流通路中に流れる間に減少している少なくとも１つの終端分流通路；
を含む、熱可塑性材料から外観ポリマー物品を射出成形するためのシステム。
［２］  システムが約２〜約５の終端分流通路を含む、［１］に記載のシステム。
［３］  少なくとも１つの終端分流通路が、熱可塑性材料の流れがランナーを通して供給される際に、かかる流れの約５％〜約６０％が少なくとも１つの終端分流通路中に分流されるような寸法を有してランナー上に配置されている、［１］に記載のシステム。
［４］  システムが、終端分流通路上に配置されており、終端分流通路中への熱可塑性材料の流れを制御するように構成されているバルブを更に含む、［１］に記載のシステム。
［５］  金型；
金型と流体連絡している、ポリマー材料の流れを金型中に送るための射出装置；
射出装置と金型との間に配置されており、射出装置からのポリマー材料の流れを受容するための射出点、及び流路上の射出点の下流に配置されており、金型中に通じる開口に配置されているか又はこれに隣接して配置されているゲートを含む流路；
射出点とゲートとの間の流路と流体連絡しており、流路を通るポリマー材料の初期段階の流れの間に、流れの一部が少なくとも１つのオーバーフロー通路に一時的に分流されて、これによりゲートを通るポリマー材料の流速が一時的に減少し、その後に増加するように構成されている少なくとも１つのオーバーフロー通路；
を含む、ポリマー物品を射出成形するためのシステム。
［６］  オーバーフロー通路が規定の容積を有し、オーバーフロー通路が流路から分岐している、［５］に記載のシステム。
［７］  オーバーフロー通路の規定の容積がポリマー材料で満たされるまで、ポリマー材料の流れを一時的にオーバーフロー通路中に分流させる、［６］に記載のシステム。
［８］  オーバーフロー通路が、一定量のポリマー材料が金型に導入されるまでオーバーフロー通路がポリマー材料で満たされないような規定の容積を有する、［７］に記載のシステム。
［９］  オーバーフロー通路が、オーバーフロー通路からゲートへの流路の容積の約２０％〜約１０００％である規定の容積を有する、［６］に記載のシステム。
［１０］  オーバーフロー通路が、オーバーフロー通路からゲートへの流路の容積の約２０％〜約５００％である規定の容積を有する、［６］に記載のシステム。
［１１］  流路が複数のオーバーフロー通路を含む、［５］に記載のシステム。
［１２］  システムが約２〜約５のオーバーフロー通路を含む、［１１］に記載のシステム。
［１３］  オーバーフロー通路のそれぞれが規定の容積を有し、それぞれのオーバーフロー通路が流路から分岐しており、オーバーフロー通路の全部がポリマー材料で満たされるまでポリマー材料の流れの一部をオーバーフロー通路中に一時的に分流させ、オーバーフロー通路が、一定量のポリマー材料が金型に導入されるまで満たされないような規定の容積を有する、［１１］に記載のシステム。
［１４］  オーバーフロー通路によって、後期段階の充填流速から減少しており、かかる充填流速の約５％〜約５０％であるゲートを通るポリマー材料の初期段階の流速が生起する、［５］に記載のシステム。
［１５］  金型キャビティー中に通じる流路中に溶融したポリマー材料を供給し；
流路中へのポリマー材料の初期段階の流れの間に、流れの一部をオーバーフロー通路中に一時的に分流させ；
金型キャビティーにポリマー材料を充填して成形物品を形成し、ここで金型中へのポリマー材料の初期段階の流れは、同時に流れの一部をオーバーフロー通路中に分流させながら行い；そして
金型から成形物品を取り出す；
ことを含むポリマー材料を成形する方法。
［１６］  ポリマー材料がポリオキシメチレンポリマーを含む、［１５］に記載の方法。
［１７］  ポリマー材料が金属顔料を含む、［１５］に記載の方法。
［１８］  ポリマー材料がポリオキシメチレンポリマーを含む、［１７］に記載の方法。
［１９］  流路中へのポリマー材料の初期段階の流れを、金型中への減少した初期段階の流速を生起させるような形で一時的に分流させ、金型キャビティーを初期段階の流速及び後期段階の充填流速で充填し、初期段階の流速は充填速度よりも約５％〜約９０％低い、［１５］に記載の方法。
［２０］  初期段階の流速が充填流速の約５％〜約５０％である、［１９］に記載の方法。
［２１］  初期段階の流速が充填流速の約２０％〜約５０％である、［１９］に記載の方法。
［２２］  ポリマー流が流塊を有し、流塊を、初期段階において、ポリマー流の一部をオーバーフロー通路中に一時的に分流させるのと同時に金型キャビティーに導入する、［１５］に記載の方法。
［２３］  外表面を有する物品に成形された熱可塑性ポリマー；
を含み、
外表面の少なくとも一部は生成物を使用する際に見えるように意図されている外観表面を含み、物品は、外観表面に隣接して配置されているゲートを通して金型中に熱可塑性ポリマーを射出することによって射出成形されており、外観表面は塗料を含まず且つゲートブラッシュ（gate blush）を含まない成形生成物。
［２４］  外観表面が、１００倍の倍率及び４５°の角度で走査電子顕微鏡によって検査して螺旋パターンのメルトフラクチャーを含まない、［２３］に記載の成形生成物。
［２５］  外観表面が、熱可塑性ポリマーを金型中に射出する位置に配置されているゲート領域を含み、ＢＯＲＧ分光測光技術にしたがって色指数におけるシフトを測定した際に、ゲート領域と外観表面の残りとの間の色指数の差が２０％より多く変化していない、［２３］に記載の成形生成物。
［２６］  色指数におけるシフトが１０％より多く変化していない、［２５］に記載の成形生成物。
［２７］  色指数におけるシフトが５％より多く変化していない、［２５］に記載の成形生成物。
［２８］  熱可塑性ポリマーがポリオキシメチレンポリマーを含み、熱可塑性ポリマーが少なくとも１種類の着色剤と混合されている、［２３］に記載の成形生成物。
［２９］  着色剤が金属顔料を含む、［２８］に記載の成形生成物。